(57)【要約】【課題】保持した衛生薄葉紙ロールが外れない衛生薄葉紙ロールホルダを提供する。【解決手段】一対のアーム１ａ，ｂをアーム支持部材２に回動自在に取り付ける。アーム１ａ，ｂは、それぞれ、台座部３、ロール支持部４、ロールガイド（ガイド）５をそなえる。台座部３は円形のキャップ状であり、アーム支持部材２に回動自在にはめ付ける。台座部３の回動中心に対して偏心する位置からのびる杓文字状のロール支持部４を設け、そのロール支持部４の先端まわりにロールガイド５を設ける。ロール支持部４の先端の両面には、各々、２つの半月状に突出したリブをそれぞれの弧の頂部で直交するようにそなえたリブ部４ａを設ける。【選択図】　　　　図１
2004024643.tif 000002
【特許請求の範囲】
【請求項１】
一対のアーム間で衛生薄葉紙ロールを巻き出し自在に保持する衛生薄葉紙ロールホルダにおいて、
前記一対のアームの少なくとも一方に、回動自在な台座部と、その回動中心に対して偏心する位置からのびるロール支持部とを設け、該ロール支持部を前記台座部の回動により移動して前記一対のアーム間の間隔を変更し、それら一対のアームの先端で衛生薄用紙ロールの両側を保持することを特徴とする、衛生薄葉紙ロールホルダ。
【請求項２】
前記ロール支持部の先端に、半月状に突出して衛生薄葉紙ロールの中心孔に入り込むリブ部を設けることを特徴とする、請求項１に記載の衛生薄葉紙ロールホルダ。
【請求項３】
前記ロール支持部の先端に、球面状に突出して衛生薄葉紙ロールの中心孔に入り込む球面形状部を設けることを特徴とする、請求項１に記載の衛生薄葉紙ロールホルダ。
【請求項４】
前記ロール支持部の先端に、鍵状に折り曲げて衛生薄葉紙ロールの中心孔に入り込むフック部を設けることを特徴とする、請求項１に記載の衛生薄葉紙ロールホルダ。
【請求項５】
前記台座部で支持して前記ロール支持部の先端まわりに設け、前記ロール支持部で支持する衛生薄葉紙ロールに側方からあてがうガイドを設けることを特徴とする、請求項１ないし４のいずれか１に記載の衛生薄葉紙ロールホルダ。
【請求項６】
衛生薄葉紙ロールとしてキッチンペーパーロールを巻き出し自在に保持することを特徴とする、請求項１ないし５のいずれか１に記載の衛生薄葉紙ロールホルダ。
【請求項７】
衛生薄葉紙ロールとしてクッキングペーパーロールを巻き出し自在に保持することを特徴とする、請求項１ないし５のいずれか１に記載の衛生薄葉紙ロールホルダ。
【発明の詳細な説明】
【０００１】
【発明の属する技術分野】
この発明は、一対のアームで支持して衛生薄葉紙ロールを巻き出し自在とする衛生薄葉紙ロールホルダに関する。詳しくは、キッチンペーパーロール、クッキングペーパーロールなどの衛生薄葉紙ロールを保持する衛生薄葉紙ロールホルダに関する。
【０００２】
【従来の技術】
従来の衛生薄葉紙ロールホルダは、図６に示すように、己状に形成された金属棒２１の上部に取付用のマグネット２２をそなえる。そして、冷蔵庫の壁面などにマグネット２２で取り付け、芯部２１ａに衛生薄葉紙ロールＲを挿入して保持し、必要な量だけ巻き出し、図示しないミシン目で分離して使用する。
【０００３】
また、従来の別の衛生薄葉紙ロールホルダは、図７に示すように、裏面にマグネットを有する本体３２の上部の両側に設けたピン３３ａ，３３ｂに一対のアーム３１ａ，３１ｂを回動自在に取り付ける。そして、冷蔵庫の壁面などにマグネットで本体３２を取り付け、一対のアーム３１ａ，３１ｂを矢印の方向に広げて衛生薄葉紙ロールＲを取り付けて保持する。そして、衛生薄葉紙ロールＲを必要な量だけ巻き出し、図示しないミシン目で分離して使用する。
【０００４】
従来のさらに別の衛生薄葉紙ロールホルダは、図８に示すように、裏面にマグネットを有する本体４２に一対のアーム４１ａ，４１ｂをスライド自在に取り付ける。そして、冷蔵庫の壁面などに本体４２のマグネットで取り付け、一対のアーム４１ａ，４１ｂを矢印の方向に広げて衛生薄葉紙ロールＲを取り付けて保持する。そして、衛生薄葉紙ロールＲを必要な量だけ巻き出し、図示しないミシン目で分離して使用する。
【０００５】
【発明が解決しようとする課題】
しかしながら、図６に示す従来の衛生薄葉紙ロールホルダでは、芯部２１ａに衛生薄葉紙ロールＲを挿入して保持しているだけなので、衛生薄葉紙ロールＲを巻き出す際に、衛生薄葉紙ロールＲを白抜き矢印のように斜め下方に引張ると、衛生薄葉紙ロールＲが衛生薄葉紙ロールホルダから外れてしまう恐れがあるという問題があった。
【０００６】
また、図７に示す従来の衛生薄葉紙ロールホルダでは、回動自在のアーム３１ａ，３１ｂが衛生薄葉紙ロールＲを保持しているので、衛生薄葉紙ロールＲを白抜き矢印のように斜め下方に引張ると、アーム３１ａがピン３３ａを支点として時計回りに回動し、一対のアーム３１ａ，３１ｂの間隔が広がって、衛生薄葉紙ロールＲが衛生薄葉紙ロールホルダから外れてしまう恐れがあるという問題があった。
【０００７】
さらに、図８に示す従来の衛生薄葉紙ロールホルダでは、スライド自在のアーム４１ａ，４１ｂが衛生薄葉紙ロールＲを保持しているので、衛生薄葉紙ロールＲを白抜き矢印のように斜め下方に引張ると、その水平分力により衛生薄葉紙ロールＲの側面がアーム４１ａを押し広げ、一対のアーム４１ａ，４１ｂの間隔が広がって、衛生薄葉紙ロールＲが衛生薄葉紙ロールホルダから外れてしまう恐れがあるという問題があった。
【０００８】
そこで、本発明の目的は、異なる幅の衛生薄葉紙ロールを保持することができ、かつ、保持した衛生薄葉紙ロールが外れない衛生薄葉紙ロールホルダを提供することにある。
【０００９】
【課題を解決するための手段】
そのため、請求項１に記載の発明は、一対のアーム間で衛生薄葉紙ロールを巻き出し自在に保持する衛生薄葉紙ロールホルダにおいて、前記一対のアームの少なくとも一方に、回動自在な台座部と、その回動中心に対して偏心する位置からのびるロール支持部とを設け、該ロール支持部を前記台座部の回動により移動して前記一対のアーム間の間隔を変更し、それら一対のアームの先端で衛生薄用紙ロールの両側を保持することを特徴とする。
【００１０】
請求項２に記載の発明は、請求項１に記載の衛生薄葉紙ロールホルダにおいて、前記ロール支持部の先端に、半月状に突出して衛生薄葉紙ロールの中心孔に入り込むリブ部を設けることを特徴とする。
【００１１】
請求項３に記載の発明は、請求項１に記載の衛生薄葉紙ロールホルダにおいて、前記ロール支持部の先端に、球面状に突出して衛生薄葉紙ロールの中心孔に入り込む球面形状部を設けることを特徴とする。
【００１２】
請求項４に記載の発明は、請求項１に記載の衛生薄葉紙ロールホルダにおいて、前記ロール支持部の先端に、鍵状に折り曲げて衛生薄葉紙ロールの中心孔に入り込むフック部を設けることを特徴とする。
【００１３】
請求項５に記載の発明は、請求項１ないし４のいずれか１に記載の衛生薄葉紙ロールホルダにおいて、前記台座部で支持して前記ロール支持部の先端まわりに設け、前記ロール支持部で支持する衛生薄葉紙ロールに側方からあてがうガイドを設けることを特徴とする。
【００１４】
請求項６に記載の発明は、請求項１ないし５のいずれか１に記載の衛生薄葉紙ロールホルダにおいて、衛生薄葉紙ロールとしてキッチンペーパーロールを巻き出し自在に保持することを特徴とする。
【００１５】
請求項７に記載の発明は、請求項１ないし５のいずれか１に記載の衛生薄葉紙ロールホルダにおいて、衛生薄葉紙ロールとしてクッキングペーパーロールを巻き出し自在に保持することを特徴とする。
【００１６】
【発明の実施の形態】
以下、図面を参照しつつ、この発明の実施の形態につき説明する。図１は、この発明の衛生薄葉紙ロールホルダの一例としてのキッチンペーパーロールホルダの斜視図である。
【００１７】
この例のキッチンペーパーロールホルダは、一対のアーム１ａ，１ｂをアーム支持部材２に回動自在に取り付けてなる。アーム１ａ，１ｂは、それぞれ、プラスチック樹脂製の、台座部３、ロール支持部４、ロールガイド（ガイド）５をそなえる。また、台座部３は円形のキャップ状であり、アーム支持部材２に回動自在にはめ付ける。
【００１８】
台座部３の回動中心に対して偏心する位置からのびる杓文字状のロール支持部４を設け、ロール支持部４の先端の両面には、各々、２つの突出した半月状のリブをそれぞれの弧の頂部で直交するようにそなえてリブ部４ａを設ける。そして、そのロール支持部４の先端まわりに板状のロールガイド５を設ける。
【００１９】
また、アーム支持部材２は、プラスチック樹脂製の円弧板状で、両端には上記アーム１ａ，１ｂを取り付ける図示しないガイド片をそなえる。さらに、アーム支持部材２裏面側の両端には、それぞれ、図示しないマグネットをそなえる。
【００２０】
図２は、図１のＡ−Ａにおける断面図である。台座部３は、短円筒状の縁部３ａと円板状の頂面３ｂとからなるキャップ状であり、縁部３ａの内側には、半球状の突起３ｃを縁部３ａの内周面に沿って１８０°間隔で形成し、頂面３ｂの裏面側には、爪３ｅを有する嵌合部材３ｄを形成する。
【００２１】
一方、アーム支持部材２は、上面に円環状に突出したガイド片２ａを形成し、そのガイド片２ａの外周面に沿って１８０°間隔で上述の突起３ｃに嵌合する凹溝２ｂを形成する。
【００２２】
このように構成されたアーム１ａの台座部３を矢印のようにアーム支持部材２にはめ付ける。すなわち、台座部３の嵌合部材３ｄと縁部３ａとの間にアーム支持部材２のガイド片２ａが嵌まり込むようにアーム１ａの台座部３をアーム支持部材２にはめ付ける。そして、嵌合部材３ｄの爪３ｅをガイド片２ａの底面２ｃにひっかけて抜け止めする。同時に、突起３ｃと凹溝２ｂが嵌合する。アーム１ｂについても同様にしてアーム支持部材２にはめ付けると、キッチンペーパーロールホルダとなる。
【００２３】
さていま、キッチンペーパーロールホルダを使用するときは、図３に示すように、キッチンペーパーロール６の幅に合わせてアーム１ａ，１ｂ間の距離がＷ２となるようアーム１ａ，１ｂに台座部３を回動させると、ロール支持部４が回動により移動して、一対のアーム１ａ，１ｂ間の間隔をＷ２に変更する。このとき、前述のように、台座部３の縁部３ａの内側には、突起３ｃが設けられているので、確実にアーム１ａ，１ｂ間の距離がＷ２となる位置で、アーム１ａ，１ｂを停止させることができる。
【００２４】
次に、それら一対のアーム１ａ，１ｂのロール支持部４の先端でキッチンペーパーロール６の両側を保持する。すなわち、キッチンペーパーロール６の両側からロール支持部４の先端に半月状に突出して設けられたリブ部４ａを中心孔６ａに入れ込み、ロールガイド５をキッチンペーパーロール６に側方からあてがい、保持する。なお、ロール支持部４は、プラスチック樹脂で形成されているので弾力性があり、キッチンペーパーロール６を取り付ける際に、ロール支持部４をやや外側に反らせるようにすると取り付けやすい。また、ロール支持部４は、２つの半月状リブをそれぞれの弧の頂部で直交するように設けてリブ部４ａを形成しているので、様々な直径の中心孔６ａに適用することができる。
【００２５】
そして、キッチンペーパーロール６の先端部６ｂを手で引張って、キッチンペーパーロール６を必要なだけ巻き出して図示しないミシン目に沿って切り離し、使用する。すなわち、一対のアーム１ａ，１ｂで支持して、キッチンペーパーロールを巻き出し自在とする。
【００２６】
なお、アーム１ａ，１ｂ間の間隔は、Ｗ１，Ｗ３に変更し得るので、前述のキッチンペーパーロール６とは幅の異なるキッチンペーパーロールにも適用できる。この場合、上述のアーム１ａ，１ｂ間の間隔Ｗ２となる位置より、アーム１ａを時計回りまたは反時計回りに、アーム１ｂを時計回りまたは反時計回りにそれぞれ１８０度回動させると、アーム１ａ，１ｂ間の間隔はＷ１となる。このときも、前述と同様に、台座部３の縁部３ａに突起３ｃが設けられているので、確実にアーム１ａ，１ｂ間の距離がＷ１となる位置で、アーム１ａ，１ｂを停止させることができる。
【００２７】
さらに、アーム１ｂを時計回りまたは反時計回りに１８０度回動させると、アーム１ａ，１ｂ間の間隔はＷ３となる。したがって、この例のキッチンペーパーロールホルダは、アーム１ａ，１ｂ間の間隔をＷ１，Ｗ２，Ｗ３の３段階とすることができ、３種類の異なるキッチンペーパーロールに適用することができる。
【００２８】
なお、上述の例では、杓文字状のロール支持部４の先端に、２つの半月状リブをそれぞれの弧の頂部で直交するように設けてリブ部４ａを形成していたが、図４に示すように、棒状のロール支持部１１の先端に球面状に突出してキッチンペーパーロール６の中心孔６ａに入り込む球面形状部１１ａをそなえてもよい。そして、キッチンペーパーロール６の中心孔６ａの両端に球面形状部１１ａをあてて、キッチンペーパーロール６を保持する。この場合も、上述の例と同様に、ロール支持部１１を台座部３の回動中心に対して偏心して形成するので、３つの異なる幅のキッチンペーパーロールを取り付けることができる。
【００２９】
さらに、図５に示すように、回動自在の台座部３に、棒状のロール支持部２１の先端に鍵状に折り曲げてキッチンペーパーロール６の中心孔６ａに入り込むフック部２２を設けてもよい。そして、キッチンペーパーロール６の中心孔６ａにロール支持部２１の鍵状のフック部２２を挿入して、キッチンペーパーロール６を保持する。この場合には、ロール支持部２１を台座部３に対して回動自在となるように、かつ、台座部３の回動中心に対して偏心して設け、異なる幅のキッチンペーパーロールを取り付けるようにする。
【００３０】
なお、上述の例では、アーム１ａ，１ｂの両方を回動可能にアーム支持部材２に取り付けたが、これに限定されるものではなく、アーム１ａ，１ｂのどちらか一方のみを回動可能にアーム支持部材２に取り付けてもよい。この場合には、Ｗ２，Ｗ３、あるいは、Ｗ２，Ｗ３のいずれか２種類の幅のキッチンペーパーロールに適用することができる。
【００３１】
また、上述の例では、衛生薄葉紙ロールの例として、キッチンペーパーロールについて説明したが、これに限定されるものではなく、クッキングペーパーロールなどあらゆる衛生薄葉紙ロールに適用しうる。
【００３２】
さらに、アーム１ａ，１ｂに取付可能な衛生薄葉紙ロールの幅は、台座部３の直径を変化させることによって様々な幅に対応することができる。
【００３３】
【発明の効果】
したがって、請求項１に係る発明によれば、一対のアームの少なくとも一方に、回動自在な台座部と、その回動中心に対して偏心する位置からのびるロール支持部とを設け、該ロール支持部を前記台座部の回動により移動して前記一対のアーム間の間隔を変更し、それら一対のアームの先端で衛生薄用紙ロールの両側を保持するので、一対のアームの間隔を変更することができ、幅の異なる衛生薄葉紙ロールを取り付けることができる。
【００３４】
請求項２に係る発明によれば、ロール支持部の先端に、半月状に突出して衛生薄葉紙ロールの中心孔に入り込むリブ部を設けるので、半月状のリブ部の弧に沿って内径の異なる衛生薄葉紙ロールを取り付けることができる。
【００３５】
請求項３に係る発明によれば、ロール支持部の先端に、球面状に突出して衛生薄葉紙ロールの中心孔に入り込む球面形状部を設けるので、球面形状部の表面に沿って内径の異なる衛生薄葉紙ロールを取り付けることができる。
【００３６】
請求項４に係る発明によれば、ロール支持部の先端に、鍵状に折り曲げて衛生薄葉紙ロールの中心孔に入り込むフック部を設けるので、内径の異なる衛生薄葉紙ロールを取り付けることができる。
【００３７】
請求項５に係る発明によれば、台座部で支持してロール支持部の先端まわりに設け、ロール支持部で支持する衛生薄葉紙ロールに側方からあてがうガイドを設けるので、衛生薄葉紙ロールをより安定して支持することができる。
【図面の簡単な説明】
【図１】この発明の一例としてのキッチンペーパーロールホルダの斜視図である。
【図２】そのアーム部分のＡ−Ａ断面図である。
【図３】そのキッチンペーパーロールホルダにキッチンペーパーロールを取り付けた正面図である。
【図４】この発明の別の一例のキッチンペーパーロールホルダの斜視図である。
【図５】さらに別のキッチンペーパーロールホルダの斜視図である。
【図６】従来のキッチンペーパーロールホルダの斜視図である。
【図７】従来の別のキッチンペーパーロールホルダの斜視図である。
【図８】従来のさらに別のキッチンペーパーロールホルダの斜視図である。
【符号の説明】
１ａ，１ｂ　　アーム
３　　台座部
４，１１，２１　　ロール支持部
４ａ　　リブ部
５　　ロールガイド（ガイド）
６　　キッチンペーパーロール（衛生薄葉紙ロール）
６ａ　　中心孔
１１ａ　　球面形状部
２２　　フック部
【図１】
2004024643.tif 000003
【図２】
2004024643.tif 000004
【図３】
2004024643.tif 000005
【図４】
2004024643.tif 000006
【図５】
2004024643.tif 000007
【図６】
2004024643.tif 000008
【図７】
2004024643.tif 000009
【図８】
2004024643.tif 000010